(57)【要約】【課題】広告コンテンツの広告効果を向上させること。【解決手段】本願に係る情報表示装置は、表示領域のうち所定の割合の領域に第１コンテンツを表示し、他の領域に第２コンテンツを表示する表示部と、前記情報表示装置の傾きを検知する検知部と、前記検知部による検知結果に応じて、前記表示領域のうち前記第１コンテンツを表示する領域の割合と、前記第２コンテンツを表示する領域の割合とを変更する変更部とを有する。この結果、情報表示装置の一例である端末装置１００は、利用者が端末装置１００に対して傾きを与えた場合に、ウェブページＣ１０を表示する領域を変動させ、隠れていた広告コンテンツＣ１１を新たに表示させることができる。このため、端末装置１００は、利用者に対し、広告コンテンツ等の任意のコンテンツに対する興味を生じさせることができる。【選択図】図１
2016024624.tif 000002
【特許請求の範囲】
【請求項１】
情報表示装置であって、
表示領域のうち所定の割合の領域に第１コンテンツを表示し、他の領域に第２コンテンツを表示する表示部と、
前記情報表示装置の傾きを検知する検知部と、
前記検知部による検知結果に応じて、前記表示領域のうち前記第１コンテンツを表示する領域の割合と、前記第２コンテンツを表示する領域の割合とを変更する変更部と
を有することを特徴とする情報表示装置。
【請求項２】
前記変更部は、前記端末装置の傾きの角度に応じて、前記第１コンテンツを表示する領域の割合と第２コンテンツを表示する領域の割合とを変更する
ことを特徴とする請求項１に記載の情報表示装置。
【請求項３】
前記変更部は、前記端末装置の傾きの角度が所定の閾値を超えた場合は、前記第２コンテンツの全体が表示されるまで、前記表示領域に対する各領域の割合を変更する
ことを特徴とする請求項１または２に記載の情報表示装置。
【請求項４】
前記変更部は、前記端末装置の傾きの角度が所定の閾値を超えた場合は、前記表示領域の全体に前記第２コンテンツが表示されるまで、前記表示領域に対する各領域の割合を変更する
ことを特徴とする請求項１〜３のうちいずれか１つに記載の情報表示装置。
【請求項５】
前記変更部は、前記端末装置の傾きの角度が所定の閾値を超えた場合は、前記第１コンテンツを表示する領域の前記表示領域に対する割合と、前記第２コンテンツを表示する領域の前記表示領域に対する割合とを固定する
ことを特徴とする請求項１〜４のうちいずれか１つに記載の情報表示装置。
【請求項６】
前記表示部は、前記表示領域に対する各領域の割合が固定された際に選択されると所定のコンテンツに遷移可能な前記第２コンテンツを表示する
ことを特徴とする請求項５に記載の情報表示装置。
【請求項７】
前記表示部は、前記表示領域に対する各領域の割合が固定された際に行われた操作の内容に応じたコンテンツに遷移可能な前記第２コンテンツを表示する
ことを特徴とする請求項５に記載の情報表示装置。
【請求項８】
前記変更部は、前記第１コンテンツを表示する領域の位置と前記第２コンテンツを表示する領域の位置とを移動させることで、前記表示領域に対する各領域の割合を変更する
ことを特徴とする請求項１〜７のいずれか１つに記載の情報表示装置。
【請求項９】
前記変更部は、前記第１コンテンツを表示する領域の位置と前記第２コンテンツを表示する領域の位置とを、前記端末装置の傾きの角度に応じた距離だけ移動させる
ことを特徴とする請求項８に記載の情報表示装置。
【請求項１０】
前記変更部は、前記端末装置が傾いた方向に応じて、前記第１コンテンツを表示する領域の位置と前記第２コンテンツを表示する領域の位置とを変更する
ことを特徴とする請求項１〜９のうちいずれか１つに記載の情報表示装置。
【請求項１１】
前記変更部は、前記端末装置が所定の方向に傾いた場合には、前記第１コンテンツを表示する領域の位置と前記第２コンテンツを表示する領域の位置とを変更する
ことを特徴とする請求項１０に記載の情報表示装置。
【請求項１２】
前記変更部は、前記端末装置の傾きが検出されていない場合、または、前記端末装置が前記第１コンテンツを受信した場合には、前記表示領域の全体を前記第１コンテンツを表示する領域とする
ことを特徴とする請求項１〜１１のうちいずれか１つに記載の情報表示装置。
【請求項１３】
第１コンテンツと第２コンテンツとの表示態様を制御する制御情報を情報表示装置に配信する配信部を備え、
前記制御情報は、
表示領域のうち所定の割合の領域に前記第１コンテンツを表示し、他の領域に前記第２コンテンツを表示する表示手順と、
前記情報表示装置の傾きを検知する検知手順と、
前記検知手順による検知結果に応じて、前記表示領域のうち前記第１コンテンツを表示する領域の割合と前記第２コンテンツを表示する領域の割合とを変更する変更手順と
を前記情報表示装置に実行させることを特徴とする配信装置。
【請求項１４】
情報表示装置が実行する情報表示方法であって、
表示領域のうち所定の割合の領域に第１コンテンツを表示し、他の領域に第２コンテンツを表示する表示工程と、
前記情報表示装置の傾きを検知する検知工程と、
前記検知手順による検知結果に応じて、前記表示領域のうち前記第１コンテンツを表示する領域の割合と前記第２コンテンツを表示する領域の割合とを変更する変更工程と
を含むことを特徴とする情報表示方法。
【請求項１５】
情報表示装置が有するコンピュータに、
表示領域のうち所定の割合の領域に第１コンテンツを表示し、他の領域に第２コンテンツを表示する表示手順と、
前記情報表示装置の傾きを検知する検知手順と、
前記検知手順による検知結果に応じて、前記表示領域のうち前記第１コンテンツを表示する領域の割合と前記第２コンテンツを表示する領域の割合とを変更する変更手順と
を実行させることを特徴とする情報表示プログラム。
【発明の詳細な説明】
【技術分野】
【０００１】
本発明は、情報表示装置、配信装置、情報表示方法および情報表示プログラムに関する。
【背景技術】
【０００２】
近年、インターネットを介した情報配信が盛んに行われている。例えば、ウェブページの所定の位置に企業や商品等に関する静止画像、動画像、テキスト等の広告コンテンツを配置して表示する技術が知られている。また、情報配信に関する技術として、第１のレイヤに動画像やウェブページ等のコンテンツを表示し、第１のレイヤと重ねて表示される第２のレイヤに広告コンテンツを表示する技術が提案されている。また、物理センサの検出結果に応じて、広告の表示態様を変形する技術が提案されている。
【先行技術文献】
【特許文献】
【０００３】
【特許文献１】特表２０１１−１０３０７３号公報
【特許文献２】特開２０１０−５２６４９４号公報
【発明の概要】
【発明が解決しようとする課題】
【０００４】
しかしながら、上記の従来技術では、広告コンテンツの広告効果を向上させることができない場合がある。例えば、従来技術では、スマートフォン等のスマートデバイスに広告コンテンツを表示させた場合、表示画面が小さいので、広告コンテンツに対するユーザの関心を引き起こさせることができない。
【０００５】
本願は、上記に鑑みてなされたものであって、広告コンテンツの広告効果を向上させる情報表示装置、配信装置、情報表示方法および情報表示プログラムを提供することを目的とする。
【課題を解決するための手段】
【０００６】
本願に係る情報表示装置は、表示領域のうち所定の割合の領域に第１コンテンツを表示し、他の領域に第２コンテンツを表示する表示部と、前記情報表示装置の傾きを検知する検知部と、前記検知部による検知結果に応じて、前記表示領域のうち前記第１コンテンツを表示する領域の割合と、前記第２コンテンツを表示する領域の割合とを変更する変更部とを有することを特徴とする。
【発明の効果】
【０００７】
実施形態の一態様によれば、広告コンテンツの広告効果を向上させることができるという効果を奏する。
【図面の簡単な説明】
【０００８】
【図１】図１は、実施形態に係る端末装置の一例を示す図である。
【図２】図２は、実施形態に係る広告配信システムの構成例を示す図である。
【図３】図３は、実施形態に係る広告配信サーバの構成例を示す図である。
【図４】図４は、実施形態に係る広告データベースに格納された情報の一例を示す図である。
【図５】図５は、実施形態に係るコンテンツ配信サーバの構成例を示す図である。
【図６】図６は、実施形態に係る端末装置の構成例を示す図である。
【図７】図７は、実施形態にかかる端末装置が実行するランディングページの出しわけの一例を示す図である。
【図８】図８は、実施形態に係る端末装置が実行する広告表示処理の流れの一例を示すフローチャート図である。
【図９】図９は、広告配信サーバの機能を実現するコンピュータの一例を示すハードウェア構成図である。
【発明を実施するための形態】
【０００９】
以下に、本願に係る情報表示装置、配信装置、情報表示方法および情報表示プログラムを実施するための形態（以下、「実施形態」と呼ぶ）について図面を参照しつつ詳細に説明する。なお、この実施形態により本願に係る情報表示装置、配信装置、情報表示方法および情報表示プログラムが限定されるものではない。また、以下の各実施形態において同一の部位には同一の符号を付し、重複する説明は省略される。
【００１０】
〔１．表示処理〕
まず、図１を用いて、情報表示装置の一例である端末装置１００が実行する処理の一例について説明する。図１は、実施形態に係る端末装置の一例を示す図である。図１では、端末装置１００によって、ウェブページＣ１０および広告コンテンツＣ１１が表示される例を示す。
【００１１】
図１に示した端末装置１００は、スマートフォンやタブレット等のスマートデバイスであり、３Ｇ（Generation）やＬＴＥ（Long  Term  Evolution）等の無線通信網を介して任意のサーバ装置と通信を行うことができる携帯端末装置である。また、端末装置１００は、液晶ディスプレイ等の出力部１３０を有する。なお、端末装置１００には、タッチパネルが採用されているものとする。すなわち、端末装置１００のユーザは、指や専用ペンで出力部１３０（以下、画面と記載する場合がある）の表示面をタッチすることにより各種操作を行う。
【００１２】
ここで、端末装置１００は、端末装置１００の状態を測定することができる物理センサ１４０を有する。例えば、端末装置１００は、端末装置１００を貫く各軸を中心とした回転、すなわち、端末装置１００の傾きを測定することができるジャイロセンサを物理センサ１４０として有する。そして、端末装置１００は、かかるジャイロセンサを用いて、端末装置１００の傾きを測定することで、端末装置１００の傾きを検知することができる。なお、以下の説明では、端末装置１００が有する画面の左右方向をＸ軸、上下方向をＹ軸、奥方向および手前方向をＺ軸として、端末装置１００が実行する処理を説明する。
【００１３】
ウェブページＣ１０は、例えば、ニュース、天気予報、受信メールのインデックスや内容、フォトビュワー、その他各種のコンテンツが配置されたウェブページであり、ＨＴＭＬ（Hyper  Text  Markup  Language）やＸＭＬ（Extensible  Markup  Language）等で記述されたウェブページである。このようなウェブページＣ１０には、検索キーワードを入力するための入力欄や、他のウェブページへのリンク等が含まれる。なお、以下の説明では、ウェブページＣ１０は、いわゆるポータルサイトのウェブページであるものとする。また、ウェブページＣ１０は、スマートデバイス用に最適化されたウェブページであり、縦方向の表示サイズが、端末装置１００が有する表示部１３０の縦方向の表示サイズよりも長いウェブページであるものとする。
【００１４】
なお、ウェブページＣ１０は、各コンテンツが独立したタイル状に配置され、タイル状に配置されたコンテンツごとに操作や更新等を行うことができるコンテンツであってもよい。ここで、ウェブページＣ１０に配置される各タイルの大きさや配置位置は、タイルごとに自動で変更されてもよく、利用者の操作に応じて変更されてもよい。
【００１５】
例えば、ウェブページＣ１０には、「新着ニュース」や、「ニュース一覧」といった表示の下に箇条書きで各ニューストピックが表示される。係るニューストピックは、他のウェブページへのリンクが張られているアンカーテキスト（anchor  text）に該当する。また、ウェブページＣ１０には、「路線」、「オークション」、「お買いもの」等、各種サービスを提供するウェブページへのリンクが設定されたテキストやボタンが配置される。
【００１６】
ここで、図１に示す例では、ウェブページＣ１０には、広告がウェブページＣ１０よりも画面上の上側に配置されている旨を示す表示（以下、サジェスト表示と記載する）が配置されている。例えば、ウェブページＣ１０のうち、初期状態において端末装置１００が表示する領域には、「広告↑」といったサジェスト表示が配置されている。なお、図１に示すサジェスト表示は、ウェブページＣ１０に必須の表示ではない。すなわち、ウェブページＣ１０は、サジェスト表示を含んでいてもよく、含んでいなくともよい。
【００１７】
広告コンテンツＣ１１は、例えば、広告の一部となる静止画像や動画像であり、広告主によって提供される画像である。図１に示す例では、広告コンテンツＣ１１は、端末装置１００の画面における表示サイズと同じ大きさの画像であり、例えば、広告対象となるビール等の写真、イラスト、広告対象となる商品の名称等が配置された画像である。
【００１８】
具体例を説明すると、広告コンテンツＣ１１は、商品であるビールと、ビールを飲む男性とが描画され、「これくらいグッとビール飲んでる？」等といった広告文が配置された画像である。なお、広告コンテンツＣ１１の内容は、図１に示す例に限定されるものではなく、各種食料品、飲料品、電化製品といった任意の商品や、通信や運送といった任意の役務に関する広告が適用可能である。
【００１９】
ここで、広告コンテンツＣ１１には、所定のウェブページ（いわゆるランディングページ）へのリンクが設定されている。そして、端末装置１００は、利用者による操作が所定の条件を満たした際に、広告コンテンツＣ１１に設定されているランディングページを表示する。例えば、端末装置１００は、広告コンテンツＣ１１の全体が画面に表示されている状態で、利用者が広告コンテンツＣ１１を選択した場合には、広告コンテンツＣ１１に対応するランディングページを表示する。なお、端末装置１００は、広告コンテンツＣ１１が選択された場合は、ランディングページ等のウェブページ以外にも、所定の動画像等を表示する等、任意のコンテンツを表示することができる。なお、端末装置１００が、広告コンテンツＣ１１に対応するコンテンツを表示する具体的な処理については、後述する。
【００２０】
〔２．端末装置１００が実行する処理〕
ここで、端末装置１００は、広告に対するユーザの関心を引き起こすため、以下の処理を行う。まず、端末装置１００は、ウェブページＣ１０と広告コンテンツＣ１１との配信を受け付けると、端末装置１００のうち所定の割合の領域に第１のコンテンツであるウェブページＣ１０を表示し、他の領域に第２のコンテンツである広告コンテンツＣ１１を表示する。例えば、端末装置１００は、ウェブページＣ１０と広告コンテンツＣ１１との配信を受け付けた初期状態、または、傾きが検出されていない初期状態においては、第１コンテンツを表示する領域の割合を端末装置１００の画面全体に設定し、かかる領域にウェブページＣ１０を配置する。また、端末装置１００は、端末装置１００の画面外、例えば画面の上方向に広告コンテンツＣ１１を表示する領域を設定し、かかる領域に広告コンテンツＣ１１を配置する。
【００２１】
ここで、端末装置１００は、利用者の操作に応じて、ウェブページＣ１０のスクロール操作を実行する。例えば、端末装置１００は、画面上に利用者の指が触れたまま上方向に移動した場合、すなわち、ウェブページＣ１０を上方向にスクロールするスクロール操作が行われた場合には、ウェブページＣ１０を上方向にスクロールさせ、端末装置１００の画面上に表示されていなかった領域を表示する。また、端末装置１００は、画面上に利用者の指が触れたまま下方向に移動した場合、すなわち、ウェブページＣ１０を下方向にスクロールするスクロール操作が行われた場合には、ウェブページＣ１０を下方向にスクロールさせる。すなわち、端末装置１００は、利用者のスクロール操作を、ウェブページＣ１０が表示される領域に反映させる。
【００２２】
一方、端末装置１００は、ウェブページＣ１０の上端が表示されている状態で、利用者が下方向のスクロール操作を行った場合には、それ以上ウェブページＣ１０のスクロール操作を行わない。また、端末装置１００は、ウェブページＣ１０を表示する領域と広告コンテンツＣ１１を表示する領域も移動させない。すなわち、端末装置１００は、スクロール操作によっては、広告コンテンツＣ１１の表示を行わず、広告コンテンツＣ１１を隠したままにする。
【００２３】
他の例では、端末装置１００は、ウェブページＣ１０の上端が表示されている状態で利用者が下方向のスクロール操作を行った場合は、ウェブページＣ１０が配置された領域と、広告コンテンツＣ１１が配置された領域とをスクロール操作に合わせて移動させる。そして、端末装置１００は、利用者が指を離した場合は、ウェブページＣ１０が配置された領域と画面とを一致させる表示を行ってもよい。かかる表示の結果、端末装置１００は、ウェブページＣ１０の上端の位置と広告コンテンツＣ１１の下端の位置とを合わせるように広告コンテンツＣ１１の一部を表示し、ウェブページＣ１０の上端を画面上の上端に戻す表示に合わせて、広告コンテンツＣ１１の表示位置を元に戻すといった態様で、ウェブページＣ１０と広告コンテンツＣ１１との表示が行われる。この結果、端末装置１００は、ウェブページＣ１０の上側に広告コンテンツＣ１１が隠れている旨を利用者に対して印象付けることができる。
【００２４】
そして、端末装置１００は、以下の広告表示処理を実行する。まず、端末装置１００は、端末装置１００の物理的な状態を検知する。そして、端末装置１００は、検知した状態に応じて、画面上に第１コンテンツであるウェブページＣ１０を表示する領域の画面に対する割合と、第２コンテンツである広告コンテンツＣ１１を表示領域の割合とを変更する。
【００２５】
〔２−１．広告表示処理〕
以下、端末装置１００が実行する広告表示処理の一例について説明する。まず、端末装置１００は、ジャイロセンサ等を用いて、端末装置１００の傾きを検知する。例えば、端末装置１００は、端末装置１００がＸ軸を中心としてＹＺ平面上で反時計回りに傾けられた場合、すなわち、画面を閲覧している利用者側に傾けられた場合には、地面に対する端末装置１００の傾きの角度、若しくは、端末装置１００がウェブページＣ１０と広告コンテンツＣ１１とを受信した際から傾けられた角度を特定する。
【００２６】
また、端末装置１００は、特定した端末装置１００の傾きの角度に応じて、ウェブページＣ１０を表示する領域の割合を変更する。例えば、端末装置１００は、検知した端末装置１００の角度を特定し、特定した角度に応じた距離だけ、ウェブページＣ１０を表示する領域の位置と、広告コンテンツＣ１１を表示する領域の位置とを画面上の下方向に移動させる。この結果、端末装置１００は、ウェブページＣ１０を表示する領域を画面上の下方向に移動させ、画面上の上辺からウェブページＣ１０の上端の位置までの領域に、広告コンテンツＣ１１を表示する。すなわち、端末装置１００は、端末装置１００の傾きによってあたかもスクロール操作が行われているように、ウェブページＣ１０と、画面外の領域に配置された広告コンテンツＣ１１とを画面上の下側にスクロールさせる。
【００２７】
かかる処理の結果、端末装置１００は、利用者が端末装置１００を傾けた角度に応じて、ウェブページＣ１０を表示する領域の割合と広告コンテンツＣ１１を表示する領域の割合をリアルタイムに変動させる。例えば、端末装置１００は、利用者が端末装置１００を手前側に傾ければ傾けるほど、広告コンテンツＣ１１を表示する領域の割合を大きくし、利用者が端末装置１００を奥側に傾ければ傾けるほど、広告コンテンツＣ１１を表示する領域の割合を小さくする。
【００２８】
また、端末装置１００は、特定した端末装置１００の傾きの角度が所定の閾値を超えた場合には、広告コンテンツＣ１１の全体を画面上に表示する。かかる際、端末装置１００は、広告コンテンツＣ１１の表示サイズと端末装置１００の画面の表示サイズとが一致する場合には、画面全面に広告コンテンツＣ１１を表示する。
【００２９】
また、端末装置１００は、特定した端末装置１００の傾きの角度が所定の閾値（以下、表示閾値と記載する）を超えた場合には、ウェブページＣ１０と広告コンテンツＣ１１とを表示する領域の割合を固定する。すなわち、端末装置１００は、利用者によって端末装置１００が表示閾値よりも大きく傾けられた場合には、端末装置１００の傾きが元に戻ったとしても、ウェブページＣ１０の表示を行わずに、広告コンテンツＣ１１を画面上に表示し続ける。
【００３０】
また、端末装置１００は、ウェブページＣ１０と広告コンテンツＣ１１とを表示する領域の割合を固定した状態で、広告コンテンツＣ１１の表示領域上で利用者のタップを検出した場合、すなわち、広告コンテンツＣ１１を利用者が選択した場合は、広告コンテンツＣ１１と対応するランディングページ等のコンテンツを表示する。
【００３１】
なお、端末装置１００は、広告コンテンツＣ１１が表示されていなくとも、所定の条件を満たした際に、ランディングページを表示すればよい。例えば、端末装置１００は、端末装置１００の傾きの角度が所定の閾値を超えた場合には、ウェブページＣ１０や広告コンテンツＣ１１を表示する領域を移動させる処理をキャンセルし、画面全体にランディングページを表示してもよい。すなわち、端末装置１００は、利用者が端末装置１００を突然大きく傾けた場合には、広告コンテンツＣ１１を表示せずに、ランディングページを突然表示してもよい。
【００３２】
また、端末装置１００は、広告コンテンツＣ１１が画面全体に表示されてから所定の時間が経過した場合には、自動的にランディングページを表示してもよい。なお、端末装置１００は、アプリの機能としてランディングページを表示してもよく、別にブラウザアプリ等のアプリを起動させて、ランディングページを表示してもよい。
【００３３】
〔２−２．広告表示処理による表示の一例〕
以下、図１を用いて、端末装置１００が広告表示処理を実行した際に表示される画面の一例を説明する。なお、以下の説明では、利用者の操作により、端末装置１００が広告コンテンツＣ１１の表示態様の変化の一例を第１状態〜第４状態に分けて説明する。
【００３４】
まず、端末装置１００は、ウェブページＣ１０および広告コンテンツＣ１１を受信する。かかる場合、端末装置１００は、ウェブページＣ１０を画面全体に表示する。また、端末装置１００は、画面外の領域に広告コンテンツＣ１１を配置する。そして、端末装置１００は、図１の第１状態に示すように、Ｘ軸を中心としてＹＺ平面上で傾いていない場合（例えば、地面に対して画面が垂直）である場合には、ウェブページＣ１０のみを画面全体に表示する。
【００３５】
なお、端末装置１００は、利用者が端末装置１００の画面を視認する際の角度を考慮して、第１状態とする端末装置１００の傾きを設定してもよい。例えば、端末装置１００は、端末装置１００がＸ軸を中心としてＹＺ平面上で時計回りに所定の角度だけ傾けられた場合には、ウェブページＣ１０のみを画面全体に表示してもよい。また、端末装置１００は、かかる第１状態の角度から、利用者がＸ軸を中心として端末装置１００を手前（ＹＺ平面上で反時計回り）に所定の角度（以下、遊び閾値を記載する）だけけられるまでは、ウェブページＣ１０のみを画面全体に表示する。
【００３６】
続いて、端末装置１００は、端末装置１００の傾きの角度が、遊び閾値を超えた場合には、図１の第２状態に示すように、広告表示処理を開始する。具体的には、端末装置１００は、端末装置１００の傾きの角度に応じた量だけ、ウェブページＣ１０を表示する領域と広告コンテンツＣ１１を表示する領域とを画面上の下方向に移動させることで、画面上においてウェブページＣ１０を表示する領域の割合を減少させ、広告コンテンツＣ１１を表示する領域の割合を増加させる。
【００３７】
続いて、端末装置１００は、端末装置１００の傾きの角度が、さらに大きくなった場合には、図１の第３状態に示すように、ウェブページＣ１０を表示する領域の割合をさらに減少させ、広告コンテンツＣ１１を表示する領域の割合をさらに増加させる。また、端末装置１００は、端末装置１００の傾きが表示閾値を超えるまでは、端末装置１００の傾きに応じて、ウェブページＣ１０および広告コンテンツＣ１１を表示する領域の割合を変動させる。
【００３８】
そして、端末装置１００は、端末装置１００の傾きが表示閾値を超えた場合は、画面全体に広告コンテンツＣ１１を表示し、ウェブページＣ１０を表示する領域の割合と、広告コンテンツＣ１１を表示する領域の割合を固定する。すなわち、端末装置１００は、図１の第４状態に示すように、端末装置１００の傾きの角度が第１状態に戻ったとしても、ウェブページＣ１０の表示を行わずに、広告コンテンツＣ１１のみを表示する。
【００３９】
このように、端末装置１００は、スクロール操作ではウェブページＣ１０を表示する領域と広告コンテンツＣ１１を表示する領域との移動を行わずに、ウェブページＣ１０を表示する領域内でウェブページＣ１０のスクロール表示を行う。そして、端末装置１００は、利用者が端末装置１００を傾ける等して端末装置１００の物理的な状態を変動させた際に、ウェブページＣ１０を表示する領域の割合を変動させ、残りの領域に広告コンテンツＣ１１を表示する。このため、端末装置１００は、利用者が端末装置１００を傾ける等して広告コンテンツＣ１１を閲覧する動機づけを提供することができる。このため、端末装置１００は、利用者に対し、広告への興味を引き起こすことができる。
【００４０】
なお、端末装置１００は、広告コンテンツＣ１１と関連する動作により検出される物理的な状態を検出し、検出結果に応じて広告コンテンツＣ１１を表示することで、広告コンテンツＣ１１の内容をより強く印象付けてもよい。
【００４１】
例えば、利用者が端末装置１００をグラスに見立てビールを飲む動作を行った場合、端末装置１００は、Ｘ軸を中心として手前側に傾くと予測される。そこで、端末装置１００は、Ｘ軸を中心として手前側に傾けられた場合には、傾けられた角度に応じてビールに関連する広告コンテンツＣ１１を表示する割合を増やし、表示閾値よりも大きく傾けられた場合、例えばビールを飲みきるような角度まで端末装置１００が傾けられた場合には、画面全体に広告コンテンツＣ１１を表示する。かかる広告表示処理により、端末装置１００は、広告コンテンツＣ１１の内容をより強く印象付けることができる。
【００４２】
〔２−３．実行主体について〕
なお、上記では説明を省略したが、端末装置１００は、上述した処理を任意の手法で実現することができる。例えば、端末装置１００は、ウェブページＣ１０の表示と、上述した広告表示処理とを端末装置１００に実行させるアプリケーションをあらかじめダウンロードし、任意のタイミングでアプリケーションを実行することで、上述した処理を実現してもよい。また、端末装置１００は、ウェブページＣ１０や広告コンテンツＣ１１の配信と同時に、上述した広告表示処理を実行させる制御情報の配信を受け付ける。そして、端末装置１００は、制御情報に従って上記した広告表示処理を行う。以下、このような制御情報に従って、上述した広告表示処理を実行する端末装置１００等について説明する。
【００４３】
〔３．広告配信システムの構成〕
以下、上記した表示処理を実現する端末装置１００等について説明する。まず、図２を用いて、実施形態に係る広告配信システム１の構成について説明する。図２は、実施形態に係る広告配信システムの構成例を示す図である。図２に示すように、広告配信システム１は、端末装置１００と、広告主端末１０と、広告配信サーバ２０と、コンテンツ配信サーバ３０とを含む。端末装置１００、広告主端末１０、広告配信サーバ２０およびコンテンツ配信サーバ３０は、ネットワークＮを介して有線または無線により通信可能に接続される。なお、図２に示す広告配信システム１には、複数台の端末装置１００や、複数台の広告主端末１０や、複数台の広告配信サーバ２０や、複数台のコンテンツ配信サーバ３０が含まれてもよい。
【００４４】
端末装置１００は、ウェブページを閲覧するユーザによって利用される情報処理装置である。例えば、端末装置１００は、スマートフォン等の携帯電話機や、タブレット端末や、ＰＤＡ（Personal  Digital  Assistant）や、デスクトップ型ＰＣ（Personal  Computer）や、ノート型ＰＣ等である。端末装置１００は、ユーザによる操作にしたがって、コンテンツ配信サーバ３０からウェブページＣ１０を取得し、取得したウェブページＣ１０を表示する。また、端末装置１００は、ウェブページＣ１０とともに後述する広告取得命令が含まれる場合には、広告配信サーバ２０から広告コンテンツＣ１１を取得し、取得した広告コンテンツＣ１１をウェブページＣ１０とともに表示する。
【００４５】
広告主端末１０は、広告主によって利用される情報処理装置である。例えば、広告主端末１０は、デスクトップ型ＰＣや、ノート型ＰＣや、タブレット端末や、携帯電話機や、ＰＤＡ等である。広告主端末１０は、広告主による操作にしたがって、広告コンテンツＣ１１を広告配信サーバ２０に入稿する。例えば、広告主端末１０は、広告コンテンツＣ１１として、静止画像や、動画像や、テキストデータや、広告コンテンツＣ１１と対応するコンテンツ（例えば、ランディングページ）を取得するためのＵＲＬ（Uniform  Resource  Locator）などを広告配信サーバ２０に入稿する。
【００４６】
なお、広告主は、広告コンテンツの入稿を代理店に依頼する場合がある。この場合、広告配信サーバ２０に広告コンテンツを入稿するのは代理店となる。以下では、「広告主」といった表記は、広告主だけでなく代理店を含む概念であり、「広告主端末」といった表記は、広告主端末１０だけでなく代理店によって利用される代理店装置を含む概念であるものとする。
【００４７】
広告配信サーバ２０は、広告主端末１０から入稿された広告コンテンツを配信するサーバ装置である。例えば、広告配信サーバ２０は、端末装置１００からアクセスを受付けると、端末装置１００の場所や利用者の属性等から広告のマッチングを行い、マッチングの結果配信対象となる広告コンテンツを端末装置１００に配信する。また、広告配信サーバ２０は、配信対象となる広告コンテンツの表示態様を指示する制御情報を広告コンテンツとともに端末装置１００に配信する。この制御情報は、例えば、ＪａｖａＳｃｒｉｐｔ（登録商標）やＣＳＳ（Cascading  Style  Sheets）等のスクリプト言語により記述される。
【００４８】
コンテンツ配信サーバ３０は、端末装置１００にウェブページＣ１０を配信するウェブサーバ等である。例えば、コンテンツ配信サーバ３０は、ポータルサイト、ニュースサイト、オークションサイト、天気予報サイト、ショッピングサイト、ファイナンス（株価）サイト、路線検索サイト、地図提供サイト、旅行サイト、飲食店紹介サイト、ウェブブログなどに関連する各種情報が配置されたポータルサイトであるウェブページＣ１０を端末装置１００に配信する。なお、コンテンツ配信サーバ３０は、各種情報がタイル状に配置され、タイルごとに情報の更新などが行われるウェブページを端末装置１００へ送信するサーバであってもよい。
【００４９】
ここで、コンテンツ配信サーバ３０によって配信されるウェブページＣ１０には、広告取得命令が含まれる。例えば、ウェブページＣ１０を形成するＨＴＭＬファイル等には、広告配信サーバ２０のＵＲＬ等が広告取得命令として記述される。この場合、端末装置１００は、ＨＴＭＬファイル等に記述されているＵＲＬにアクセスすることで、広告配信サーバ２０から広告コンテンツＣ１１を取得する。
【００５０】
なお、コンテンツ配信サーバ３０から端末装置１００に配信される各種データは、実際にはウェブページを形成するＨＴＭＬファイルや画像、ウェブページと重ねて表示される動画像等であるが、以下では、コンテンツ配信サーバ３０から端末装置１００に配信される各種データをコンテンツと表記する場合がある。
【００５１】
〔４．広告配信サーバの構成〕
次に、図３を用いて、実施形態に係る広告配信サーバ２０の構成について説明する。図３は、実施形態に係る広告配信サーバの構成例を示す図である。図３に示すように、広告配信サーバ２０は、通信部２１と、記憶部２２と、制御部２３とを有する。
【００５２】
通信部２１は、例えば、ＮＩＣ（Network  Interface  Card）等によって実現される。そして、通信部２１は、ネットワークＮと有線または無線で接続され、端末装置１００や広告主端末１０やコンテンツ配信サーバ３０との間で情報の送受信を行う。
【００５３】
記憶部２２は、例えば、ＲＡＭ（Random  Access  Memory)、フラッシュメモリ（Flash  Memory）等の半導体メモリ素子、または、ハードディスク、光ディスク等の記憶装置によって実現される。また、記憶部２２は、広告主端末１０から入稿された広告コンテンツに関する各種情報が格納されたデータベースである広告データベース２４を記憶する。
【００５４】
ここで、図４は、実施形態に係る広告データベースに格納された情報の一例を示す図である。図４に示した例では、広告データベース２４は、「広告主ＩＤ」、「広告コンテンツ」、「入札価格」、「ＣＴＲ（Click  Through  Rate）」といった項目を有する。
【００５５】
「広告主ＩＤ」は、広告主または広告主端末１０を識別するための識別情報を示す。「広告コンテンツ」は、広告主端末１０から入稿された広告コンテンツを示す。図４では「広告コンテンツ」に「Ｃ１１」、「Ｃ１２」といった概念的な情報が格納される例を示したが、実際には、静止画像や動画像やテキストデータやＵＲＬ、または、これらの格納場所を示すファイルパス名などが格納される。
【００５６】
「入札価格」は、広告主が広告コンテンツを入稿する際に指定する広告料金を示す。例えば、「入札価格」は、広告コンテンツがウェブページに１回表示された際に広告主から広告配信者（例えば、広告配信サーバ２０またはコンテンツ配信サーバ３０の管理者）に支払われる単価に該当する。なお、例えば、「入札価格」は、広告コンテンツがユーザに１回選択された際に広告主から広告配信者に支払われる単価に該当する額であってもよい。
【００５７】
「ＣＴＲ」は、広告コンテンツがクリックされた回数を広告コンテンツの表示回数によって除算した値を示す。なお、端末装置１００に配信されたことがない広告コンテンツのＣＴＲには、予め決められている固定値や、全ての広告コンテンツにおけるＣＴＲの平均値や、同一の広告カテゴリ（例えば、車、旅行）に属する全ての広告コンテンツにおけるＣＴＲの平均値などが記憶される。また、「ＣＴＲ」には、ＣＴＲの予測モデル等から予測される予測ＣＴＲが記憶されてもよい。このような予測ＣＴＲは、例えば、広告コンテンツの種別や、広告コンテンツが表示されるウェブページの種別等によって予測される。
【００５８】
すなわち、図４では、広告主ＩＤ「Ｂ１０」によって識別される広告主が、入札価格「１００」を指定するとともに、広告コンテンツ「Ｃ１１」を入稿した例を示している。また、図４では、広告コンテンツ「Ｃ１１」のＣＴＲが「０．０２」である例を示している。
【００５９】
ここで、広告データベース２４には、広告コンテンツとして、広告枠５０に表示される広告コンテンツと、各広告コンテンツをどのように表示するかを指示する表示指示が登録される。例えば、図４に示す例では、広告データベース２４には、広告コンテンツとして、図１に例示した広告コンテンツＣ１１と、図１に示した広告表示処理を実行させる表示指示が登録されているものとする。なお、かかる表示指示には、広告主によって登録された表示閾値や遊び閾値、検出する端末装置１００の傾きの方向、傾きの角度に応じたウェブページＣ１０の移動量、ランディングページ等にアクセスするためのＵＲＬ等の情報が含まれているものとする。
【００６０】
図３に戻って、説明を続ける。制御部２３は、例えば、ＣＰＵ（Central  Processing  Unit）やＭＰＵ（Micro  Processing  Unit）等によって、広告配信サーバ２０内部の記憶装置に記憶されている各種プログラムがＲＡＭを作業領域として実行されることにより実現される。また、制御部２３は、例えば、ＡＳＩＣ（Application  Specific  Integrated  Circuit）やＦＰＧＡ（Field  Programmable  Gate  Array）等の集積回路により実現される。
【００６１】
図３に示すように、制御部２３は、入稿受付部２５と、要求受付部２６と、広告選択部２７と、配信部２８とを有し、以下に説明する情報処理の機能や作用を実現または実行する。なお、制御部２３の内部構成は、図３に示した構成に限られず、後述する情報処理を行う構成であれば他の構成であってもよい。また、制御部２３が有する各処理部の接続関係は、図３に示した接続関係に限られず、他の接続関係であってもよい。
【００６２】
入稿受付部２５は、広告主端末１０から広告コンテンツの入稿を受け付ける。具体的には、入稿受付部２５は、入札価格の指定とともに広告コンテンツの入稿を受け付ける。また、入稿受付部２５は、広告コンテンツＣ１１と表示指示とを受付ける。かかる場合、入稿受付部２５は、広告コンテンツＣ１１、および表示指示を、広告主ＩＤと、受付けた入札価格とともに広告データベース２４に登録する。
【００６３】
要求受付部２６は、端末装置１００から広告コンテンツの取得要求を受け付ける。例えば、要求受付部２６は、広告コンテンツの取得要求として、ＨＴＴＰリクエストを受け付ける。
【００６４】
広告選択部２７は、要求受付部２６によって広告コンテンツの取得要求が受け付けられた場合に、配信候補の広告コンテンツを広告データベース２４から選択する。例えば、広告選択部２７は、端末装置１００の位置や利用者の属性に基づいて、広告データベース２４に登録されている広告コンテンツから配信対象となる広告コンテンツのマッチングを行う。かかるマッチングにおいては、入札価格またはＣＴＲが高い広告コンテンツや、入札価格およびＣＴＲの双方が高い広告コンテンツが優先的に選択されてもよい。そして、広告選択部２７は、配信対象として選択された広告コンテンツを配信部２８に出力する。
【００６５】
なお、広告選択部２７は、ウェブページが検索ページである場合には、検索ページに指定された検索キーワードとマッチする広告コンテンツを抽出する検索連動型広告と呼ばれる広告配信手法を用いてもよい。また、広告選択部２７は、ユーザの属性情報（サイコグラフィック属性、デモグラフィック属性など）とマッチする広告コンテンツを抽出するターゲティング配信と呼ばれる広告配信手法を用いてもよい。
【００６６】
配信部２８は、広告選択部２７が選択した広告コンテンツとともに、端末装置１００に対して制御情報を配信する。具体的には、配信部２８は、広告選択部２７が選択した広告コンテンツを受信すると、受信した広告コンテンツに含まれる表示指示を抽出する。そして、配信部２８は、抽出した表示指示が示す広告表示処理を端末装置１００に実行させるための制御情報を生成する。その後、配信部２８は、生成した制御情報と、広告コンテンツに含まれる画像や動画像のデータとを端末装置１００に対して配信する。
【００６７】
〔５．コンテンツ配信サーバ３０の構成〕
次に、図５を用いて、実施形態に係るコンテンツ配信サーバ３０の構成について説明する。図５は、実施形態に係るコンテンツ配信サーバの構成例を示す図である。図５に示すように、コンテンツ配信サーバ３０は、通信部３１と、コンテンツ記憶部３２と、制御部３３とを有する。
【００６８】
通信部３１は、例えば、ＮＩＣ等によって実現される。そして、通信部３１は、ネットワークＮと有線または無線で接続され、端末装置１００や広告配信サーバ２０との間で情報の送受信を行う。
【００６９】
コンテンツ記憶部３２は、例えば、ＲＡＭ、フラッシュメモリ等の半導体メモリ素子、または、ハードディスク、光ディスク等の記憶装置によって実現される。そして、コンテンツ記憶部３２は、コンテンツの一例であるウェブページを記憶する。例えば、コンテンツ記憶部３２は、ウェブページを形成するＨＴＭＬファイルや、ウェブページに表示される静止画像や動画像を記憶する。
【００７０】
制御部３３は、例えば、ＣＰＵやＭＰＵ等によって、コンテンツ配信サーバ３０内部の記憶装置に記憶されている各種プログラム（配信プログラムの一例に相当）がＲＡＭを作業領域として実行されることにより実現される。また、制御部３３は、例えば、ＡＳＩＣやＦＰＧＡ等の集積回路により実現される。
【００７１】
図５に示すように、制御部３３は、受付部３４と、配信部３５とを有し、以下に説明する情報処理の機能や作用を実現または実行する。なお、制御部３３の内部構成は、図５に示した構成に限られず、後述する情報処理を行う構成であれば他の構成であってもよい。また、制御部３３が有する各処理部の接続関係は、図５に示した接続関係に限られず、他の接続関係であってもよい。
【００７２】
受付部３４は、端末装置１００からウェブページの取得要求を受け付ける。例えば、受付部３４は、ウェブページの取得要求として、ＨＴＴＰリクエストを受け付ける。
【００７３】
配信部３５は、受付部３４によってウェブページの取得要求が受け付けられた場合に、ウェブページを端末装置１００に配信する。具体的には、配信部３５は、コンテンツ記憶部３２から取得要求対象のウェブページを取得し、取得したウェブページを端末装置１００に配信する。かかる場合、端末装置１００は、ウェブページＣ１０を受信すると、広告配信サーバ２０に対して広告の配信要求を送信し、応答として受信した広告コンテンツを広告表示処理に応じて表示する。
【００７４】
〔６．端末装置の構成〕
次に、図６を用いて、実施形態に係る端末装置１００の構成について説明する。図６は、実施形態に係る端末装置の構成例を示す図である。図６に示すように、端末装置１００は、通信部１１０と、入力部１２０と、出力部１３０と、物理センサ１４０と、制御部１５０とを有する。
【００７５】
通信部１１０は、例えば、ＮＩＣ等によって実現される。そして、通信部１１０は、ネットワークＮと有線または無線で接続され、広告配信サーバ２０やコンテンツ配信サーバ３０との間で情報の送受信を行う。
【００７６】
入力部１２０は、ユーザから各種操作を受け付ける入力装置である。例えば、入力部１２０は、キーボードやマウスや操作キー等によって実現される。出力部１３０は、各種情報を表示するための表示装置である。例えば、出力部１３０は、液晶ディスプレイ等によって実現される。なお、端末装置１００にタッチパネルが採用される場合には、入力部１２０と出力部１３０とは一体化される。
【００７７】
物理センサ１４０は、端末装置１００の物理的な状態を検知するセンサである。例えば、物理センサ１４０は、端末装置１００の３軸方向の傾きを測定するジャイロセンサである。なお、物理センサ１４０は、ジャイロセンサに限定されるものではなく、例えば、加速度センサ、温度センサ、音量センサ、明度センサ等、任意のセンサが適用可能である。
【００７８】
制御部１５０は、例えば、ＣＰＵやＭＰＵ等によって、端末装置１００内部の記憶装置に記憶されている各種プログラム（表示プログラムの一例に相当）がＲＡＭを作業領域として実行されることにより実現される。例えば、この各種プログラムは、ウェブブラウザと呼ばれるアプリケーションプログラムに該当する。また、制御部１５０は、例えば、ＡＳＩＣやＦＰＧＡ等の集積回路により実現される。
【００７９】
図６に示すように、制御部１５０は、要求部１５１と、操作制御部１５２と、表示制御部１５３とを有し、以下に説明する情報処理の機能や作用を実現または実行する。なお、制御部１５０の内部構成は、図６に示した構成に限られず、後述する情報処理を行う構成であれば他の構成であってもよい。また、制御部１５０が有する各処理部の接続関係は、図６に示した接続関係に限られず、他の接続関係であってもよい。
【００８０】
要求部１５１は、操作制御部１５２からウェブページＣ１０のＵＲＬを受信した場合は、コンテンツ配信サーバ３０に対して受信したＵＲＬが示すウェブページＣ１０の取得要求を送信する。また、要求部１５１は、コンテンツ配信サーバ３０から受信したウェブページに広告取得命令が含まれる場合に、広告コンテンツの取得要求を広告配信サーバ２０に送信する。
【００８１】
操作制御部１５２は、入力部１２０を介して受け付けたユーザ操作にしたがって、各種制御を実行する。例えば、操作制御部１５２は、ユーザが入力部１２０に対してウェブページＣ１０の表示操作を行った場合は、表示対象となるウェブページＣ１０のＵＲＬを要求部１５１に出力する。また、操作制御部１５２は、入力部１２０を介して受け付けたユーザ操作の内容を表示制御部１５３に出力する。また、操作制御部１５２は、表示制御部１５３が受信したウェブページＣ１０に広告取得命令が含まれる場合は、要求部１５１に対して、広告コンテンツの取得要求を広告配信サーバ２０へ送信するよう指示する。
【００８２】
表示制御部１５３は、受信したウェブページおよび広告コンテンツを出力部１３０に表示する処理を実行する。例えば、表示制御部１５３は、制御部１５０が、広告コンテンツとともに配信される制御情報を実行することで、図６に示すように表示部１５４と検知部１５５と、変更部１５６として動作し、広告表示処理を実行する。表示部１５４、検知部１５５、変更部１５６は、例えば、ＣＰＵやＭＰＵ等によって、制御情報がＲＡＭを作業領域として実行されることにより実現される。
【００８３】
表示部１５４は、画面上の所定の割合の領域にウェブページＣ１０を表示し、他の領域に広告コンテンツＣ１１を表示する。具体的には、表示部１５４は、要求部１５１による処理の結果、ウェブページＣ１０と広告コンテンツＣ１１を受信した場合は、画面全体をウェブページＣ１０を表示する領域とし、出力部１３０にウェブページＣ１０を表示させる。また、表示部１５４は、画面外に広告コンテンツＣ１１を表示する領域を配置する。なお、初期状態における各領域の割合は、上述した例に限定されるものではなく、例えば、表示部１５４は、画面上の一部の領域にウェブページＣ１０を表示させ、他の領域に広告コンテンツＣ１１を表示させてもよい。
【００８４】
また、表示部１５４は、操作制御部１５２からユーザ操作の内容を受信した場合は、受信したユーザ操作にしたがって、出力部１３０の表示内容を制御する。例えば、表示部１５４は、縦方向のスクロール操作が行われた旨を操作制御部１５２から受信した場合は、ウェブページＣ１０をスクロールさせる。なお、表示部１５４は、スクロール操作によっては、広告コンテンツＣ１１を表示する領域の位置を移動させず、画面外に配置したままにする。
【００８５】
また、表示部１５４は、変更部１５６からの指示に従って、広告枠５０に表示された各広告コンテンツＣ１１の表示態様を変更する。例えば、表示部１５４は、変更部１５６からウェブページＣ１０を表示する領域の割合の指示を受付けた場合は、ウェブページＣ１０を表示する領域の割合が受け付けた割合となるまで、ウェブページＣ１０を表示させる領域と、広告コンテンツＣ１１を表示させる領域とを移動させる。つまり、表示部１５４は、ウェブページＣ１０を表示する領域の移動に伴って生じた画面上の領域に、広告コンテンツＣ１１の一部を表示する。
【００８６】
また、表示部１５４は、ウェブページＣ１０を表示する領域の割合を固定する旨の指示を受付けた場合は、ウェブページＣ１０を表示する領域の割合と広告コンテンツＣ１１を表示する領域の割合とを固定する。また、表示部１５４は、ウェブページＣ１０を表示する領域の割合と広告コンテンツＣ１１を表示する領域の割合とを固定した際に利用者によって選択されると所定のコンテンツに遷移可能な広告コンテンツＣ１１を表示する。例えば、表示部１５４は、ウェブページＣ１０を表示する領域の割合を固定する旨の指示を受付けた後で、操作制御部１５２から利用者が広告コンテンツを選択した旨の通知を受付けた場合は、選択した広告コンテンツと対応する所定のコンテンツ、例えばランディングページを表示する。
【００８７】
なお、表示部１５４は、変更部１５６の制御によりウェブページＣ１０を表示する領域の割合と広告コンテンツＣ１１を表示する領域の割合とを変更している際に、広告コンテンツＣ１１が表示された領域を利用者がタップした場合は、ランディングページの表示を行わずともよい。すなわち、表示部１５４は、端末装置１００の傾きが表示閾値を超えるまでは、利用者がコンテンツＣ１１をタップしても、ランディングページの表示を行わない。
【００８８】
一方、表示部１５４は、変更部１５６の制御によりウェブページＣ１０を表示する領域の割合と広告コンテンツＣ１１を表示する領域の割合とを変更している際に、ウェブページＣ１０が表示された領域を利用者がタップした場合は、タップした位置に応じた各種処理を実行する。例えば、表示部１５４は、ウェブページＣ１０のうちリンクが設定されたテキストが利用者により選択された場合は、設定されたリンクに対応するウェブページ等のコンテンツを表示する。
【００８９】
検知部１５５は、端末装置１００の物理的な状態を検知する。例えば、検知部１５５は、物理センサ１４０を用いて、端末装置１００の傾きの角度を検知し、検知した角度を変更部１５６に通知する。ここで、検知部１５５は、端末装置１００が傾いた方向を検知し、検知した方向を変更部１５６に通知してもよい。また、検知部１５５は、端末装置１００が所定の閾値以上、傾けられた場合は、端末装置１００が傾けられた旨の検知結果を変更部１５６に通知してもよい。
【００９０】
なお、検知部１５５は、物理センサ１４０を用いて、端末装置１００に対して加えられた衝撃を検知してもよい。例えば、検知部１５５は、物理センサ１４０を用いて、端末装置１００に対して加えられた加速度を測定し、測定した加速度の変化量が所定の閾値よりも大きい場合には、端末装置１００に対して衝撃が加えられた旨の検知結果を変更部１５６に通知してもよい。
【００９１】
また、例えば、検知部１５５は、入力部１２０と物理センサ１４０とを用いて、利用者による所定の操作を検知してもよい。具体例を説明すると、検知部１５５は、物理センサ１４０により衝撃が検知されたと同時に、入力部１２０により利用者が画面上をタッチした旨が検知された場合は、利用者が画面上をノックした旨の検知結果を変更部１５６に通知してもよい。
【００９２】
なお、上述した検知部１５５が実行する処理は、あくまで一例であり、検知部１５５は、端末装置１００に備えられた任意のセンサを用いて、端末装置１００の物理的な任意の状態を検知することができる。
【００９３】
変更部１５６は、検知部１５５による検知結果に応じて、ウェブページＣ１０を表示する領域の割合と、広告コンテンツＣ１１を表示する領域の割合とを変更する。例えば、変更部１５６は、検知部１５５から、端末装置１００が傾けられた角度を受信する。そして、変更部１５６は、端末装置１００の傾きの角度に応じて、ウェブページＣ１０を表示する領域の割合を算出し、算出した割合を表示部１５４に通知する。すなわち、変更部１５６は、ウェブページＣ１０を表示する領域と広告コンテンツＣ１１を表示させる領域とを傾きの角度に応じた距離だけ移動させる。この結果、変更部１５６は、ウェブページＣ１０を表示する領域の移動に応じて生じた領域に、広告コンテンツＣ１１を表示させる。
【００９４】
また、変更部１５６は、端末装置１００の傾きの角度が所定の閾値を超えたか否かを判定し、超えたと判定した場合には、以下の処理を実行する。まず、変更部１５６は、画面全体に広告コンテンツＣ１１を表示させるまで、ウェブページＣ１０を表示する領域とウェブページＣ１１を表示する領域とを移動させる。すなわち、変更部１５６は、広告コンテンツＣ１１の全体を表示させる。そして、変更部１５６は、ウェブページＣ１０を表示する領域の割合を固定する旨の指示を表示部１５４に出力する。すなわち、変更部１５６は、端末装置１００の傾きの角度が所定の閾値を超えた場合には、その後端末装置１００の傾きの角度が変わっても、ウェブページＣ１０を表示せずに、画面全体に広告コンテンツＣ１１を表示させる。
【００９５】
〔７．広告表示処理のバリエーション〕
上記では、図１に例示した表示態様を用いながら、端末装置１００による広告表示処理の一例について説明した。しかしながら、実施形態は、これに限定されるものではない。以下、端末装置１００が実行する広告表示処理のバリエーションについて説明する。なお、以下に説明する広告表示処理は、例えば変更部１５６が表示部１５４を制御することにより実現されてもよい。
【００９６】
〔７−１．傾きの方向に応じた処理〕
例えば、端末装置１００は、端末装置１００が傾いた方向に応じた態様で、ウェブページＣ１０を表示する領域の広さを変更してもよい。例えば、端末装置１００は、端末装置１００が所定の方向に傾けられた場合にのみ、広告表示処理を実行してもよい。また、例えば、端末装置１００は、端末装置１００が傾いた方向に応じて、ウェブページＣ１０と広告コンテンツＣ１１とを表示する領域を移動させる方向を変更してもよい。
【００９７】
例えば、端末装置１００は、端末装置１００がＸ軸を中心として、ＹＺ平面上で時計回りに傾けられた場合、すなわち、端末装置１００が利用者から見て奥側に傾けられた場合には、ウェブページＣ１０を表示する領域を画面上の上方向に移動させ、広告コンテンツＣ１１を表示する領域を画面上の下方向から上方向に移動させる。つまり、端末装置１００は、ウェブページＣ１０を表示する領域の移動に応じて画面上の下部分に生じる領域に、広告コンテンツＣ１１を上側から表示する。
【００９８】
また、他の例では、端末装置１００は、端末装置１００がＹ軸を中心としてＸＺ平面上で時計回りに傾けられた場合、すなわち、端末装置１００が利用者から見て左側に傾けられた場合には、ウェブページＣ１０を表示する領域を画面上の左方向に移動させ、広告コンテンツＣ１１を表示する領域を画面上の右方向から左方向に移動させる。つまり、端末装置１０は、ウェブページＣ１０を表示する領域の移動に応じて画面上の右側に生じる領域に、広告コンテンツＣ１１を左側から表示する。
【００９９】
また、端末装置１００は、端末装置１００がＹ軸を中心としてＸＺ平面上で反時計回りに傾けられた場合、すなわち、端末装置１００が利用者から見て右奥側に傾けられた場合には、ウェブページＣ１０を表示する領域をと広告コンテンツＣ１１を表示する領域とを画面上の右方向に移動させる。つまり、端末装置１００は、ウェブページＣ１０を表示する領域の移動に応じて画面上の左部分に生じる領域に、広告コンテンツＣ１１を右側から表示する。
【０１００】
すなわち、端末装置１００は、ウェブページＣ１０を表示する領域を端末装置１００が傾いた方向に各領域を移動させることで生じた画面上の領域に、広告コンテンツＣ１１を表示してもよい。このような処理を実行することで、端末装置１００は、利用者に対して広告への興味を生じさせることができる。
【０１０１】
なお、端末装置１００は、端末装置１００の傾きの方向に応じて異なる広告コンテンツを表示してもよい。例えば、端末装置１００は、端末装置１００が利用者から見て上側に傾けられた場合には、ウェブページＣ１０を表示する領域を画面上の上方向に移動させ、画面上の下側から第１の広告コンテンツを表示する。一方、端末装置１００は、端末装置１００が利用者から見て左側に傾けられた場合には、ウェブページＣ１０を表示する領域を画面上の左方向に移動させ、画面上の右側から第２の広告コンテンツを表示する。
【０１０２】
また、端末装置１００は、端末装置１００が利用者から見て下側に傾けられた場合には、ウェブページＣ１０を表示する領域を画面上の下方向に移動させ、画面上の上側から第３の広告コンテンツを表示する。また、端末装置１００は、端末装置１００が利用者から見て右側に傾けられた場合には、ウェブページＣ１０を表示する領域を画面上の右方向に移動させ、画面上の左側から第４の広告コンテンツを表示する。このような処理を実行することで、端末装置１００は、利用者が各広告コンテンツを見るために端末装置１００を様々な方向に傾けるための動機づけを提供できる。この結果、端末装置１００は、利用者に対して広告への興味を生じさせることができる。
【０１０３】
〔７−２．傾きの角度に応じた処理〕
また、端末装置１００は、傾きの角度に応じた対応で、広告表示処理を実行してもよい。例えば、端末装置１００は、傾きの角度が所定の閾値を超えるまでは、ウェブページＣ１０を表示する領域の移動を行わない。そして、端末装置１００は、傾きの角度が所定の閾値を超えた際に、ウェブページＣ１０を表示する領域を画面外へ移動させるとともに、かかる移動に合わせて広告コンテンツＣ１１を表示する領域を画面内に移動させ、画面全体に広告コンテンツＣ１１を表示してもよい。また、端末装置１００は、端末装置１００の傾きが所定の閾値を超えた場合には、広告コンテンツＣ１１と関連する動画を画面全体に表示し、再生してもよい。
【０１０４】
〔７−３．操作に応じたコンテンツの出しわけ〕
上述した例では、端末装置１００は、ウェブページＣ１０を表示する領域と広告コンテンツＣ１１を表示する領域との割合を固定した際に、利用者が広告コンテンツＣ１１を選択した場合には、広告コンテンツＣ１１に対応するランディングページを表示した。しかしながら、実施形態は、これに限定されるものではない。例えば、端末装置１００は、ウェブページＣ１０を表示する領域と広告コンテンツＣ１１を表示する領域との割合を固定した際に入力された操作に応じて、異なるランディングページ等のコンテンツを出しわけてもよい。
【０１０５】
例えば、図７は、実施形態にかかる端末装置が実行するランディングページの出しわけの一例を示す図である。例えば、端末装置１００は、端末装置１００の傾きの角度が所定の閾値を超えた場合には、図７の第１状態に示すように、画面全体に広告コンテンツＣ１１を表示する。ここで、端末装置１００は、利用者が画面上をタップした場合、すなわち、利用者が広告コンテンツＣ１１を選択した場合には、図７の第２状態に示すように、広告コンテンツＣ１１と対応するランディングページＣ１２を表示する。
【０１０６】
一方、端末装置１００は、図７に示す第１状態において、利用者が所定の操作を行った場合には、図７の第３状態に示すように、ランディングページＣ１２とは異なるランディングページＣ１３を表示する。例えば、端末装置１００は、画面上に利用者の指が触れ続けた場合等入力部１２０を介した所定の操作を検知した場合、または、物理センサ１４０を用いて、端末装置１００に対する衝撃を検知した場合等、端末装置１００が検出可能な任意の操作を検知した場合には、図７の第３状態に示すように、ランディングページＣ１３を表示する。
【０１０７】
このように、端末装置１００は、広告コンテンツＣ１１の全体を表示した後でも、利用者に様々な操作を行わせる動機づけを提供することができる。このため、端末装置１００は、利用者に対し、広告への興味を生じさせることができる。
【０１０８】
なお、ランディングページの出しわけを行う処理は、上述した処理に限定されるものではなく、端末装置１００は、任意の条件に応じて、ランディングページの出しわけを行うことができる。例えば、端末装置１００は、広告コンテンツＣ１１の一部が画面内に表示されてから、すなわち、端末装置１００が傾けられてから時間経過に伴う端末の傾きの変化に応じて、ランディングページＣ１２、Ｃ１３の出しわけを行ってもよい。
【０１０９】
例えば、端末装置１００は、広告コンテンツＣ１１の一部が画面内に表示されてから、所定の時間内に端末装置１００が所定の角度以上傾けられた場合には、泡の量が多いビールの画像が表示されたランディングページを表示し、広告コンテンツＣ１１の一部が画面内に表示されてから、所定の時間内に端末装置１００が所定の角度以上傾けられなかった場合には、泡の量が少ないビールの画像が表示されたランディングページを表示してもよい。
【０１１０】
また、端末装置１００は、広告コンテンツＣ１１の一部が画面内に表示されてから、所定の時間内に、所定の増加率で、端末装置１００が所定の角度まで傾けられた場合には、適正な泡の量のビールの画像を表示するとともに、キャンペーンへの応募を受け付けるランディングページを表示してもよい。なお、端末装置１００は、端末装置１００を大きく傾けるといった第１の操作を行った場合には、ランディングページＣ１２を突然表示し、端末装置１００を大きく振るといった第２の操作を行った場合には、ランディングページＣ１３を突然表示するといった、操作に基づくランディングページの出しわけを行ってもよい。すなわち、端末装置１００は、端末装置１００の傾きや時間経過に伴う傾きの変化率等、任意の操作に応じて、ランディングページの出しわけを行ってもよい。
【０１１１】
〔７−４．コンテンツの種別〕
なお、端末装置１００は、広告対象となる商品等が配置された画像を広告コンテンツＣ１１として表示した。しかしながら、実施形態は、これに限定されるものではない。例えば、端末装置１００は、動画像である広告コンテンツＣ１１を表示してもよい。かかる場合、端末装置１００は、端末装置１００が傾けられ、広告コンテンツを表示する領域が画面上の半分を占めた際に、動画像の再生を行ってもよい。また、端末装置１００は、広告コンテンツＣ１１の表示とともにシズル音等の音声を再生してもよい。また、端末装置１００は、端末装置１００の傾きの角度に応じて、再生する音声の音量を変更してもよい。
【０１１２】
〔７−５．端末装置１００の傾きについて〕
上述した例では、端末装置１００は、端末装置１００を貫く各軸を中心とした端末装置１００の回転操作、すなわち、端末装置１００の傾きを検出した。そして、端末装置１００は、端末装置１００の傾きの方向や角度に応じて、ウェブページＣ１０を表示する領域と広告コンテンツＣ１１を表示する領域との割合を変動した。ここで、端末装置１００は、任意の状態と基準とした傾きを検出することができる。例えば、端末装置１００は、ジャイロセンサを用いて地球の重力方向を測定し、測定した地球の重力方向をＹ軸とした座標系を特定する。そして、端末装置１００は、特定した座標系における端末装置１００の画面の傾きの角度を検知してもよい。すなわち、端末装置１００は、地球の重力方向を基準とした端末装置１００の画面の傾きの角度を検知してもよい。
【０１１３】
また、端末装置１００は、ウェブページＣ１０と広告コンテンツＣ１１とを受信した場合には、ウェブページＣ１０を表示するとともに、地球の重力方向を基準とした端末装置１００の画面の傾きの角度を特定する。そして、端末装置１００は、特定した角度を基準として、端末装置１００が傾けられた角度を検知してもよい。すなわち、端末装置１００は、地球の重力方向を基準として、ウェブページＣ１０を受信して表示した際における端末装置１００の画面の傾きの角度と、利用者により端末装置１００が傾けられた際の角度との変動量を検知し、検知した変動量に応じて、ウェブページＣ１０を表示する領域と広告コンテンツＣ１１を表示する領域との割合を変動させてもよい。
【０１１４】
〔８．広告配信システムの処理フロー〕
次に、図８を用いて、制御情報を実行した端末装置１００が実行する処理の手順について説明する。図８は、実施形態に係る端末装置が実行する広告表示処理の流れの一例を示すフローチャートである。
【０１１５】
図８に示す例では、端末装置１００は、ユーザの操作に応じてコンテンツ配信サーバ３０にウェブページＣ１０の配信を要求し、コンテンツ配信サーバ３０からウェブページＣ１０を受信する（ステップＳ１０１）。次に、端末装置１００は、配信されたウェブページＣ１０に広告取得命令が含まれる場合は、広告配信サーバ２０に対して配信要求を送信する（ステップＳ１０２）。次に、端末装置１００は、広告コンテンツＣ１１を受信したか否かを判定する（ステップＳ１０３）。そして、端末装置１００は、広告コンテンツＣ１１を受信していないと判定した場合は（ステップＳ１０３：Ｎｏ）、再度ステップＳ１０３を実行する。
【０１１６】
また、端末装置１００は、広告コンテンツＣ１１を受信した場合は（ステップＳ１０３：Ｙｅｓ）、ウェブページＣ１０を表示するとともに、広告コンテンツＣ１１を画面外の領域、すなわち不可視領域に配置する（ステップＳ１０４）。次に、端末装置１００は、物理センサ１４０を用いて、傾きが検出されたか否かを判定し（ステップＳ１０５）、傾きが検出された場合は（ステップＳ１０５：Ｙｅｓ）、画面外に隠れていた広告コンテンツを傾きの角度に応じて表示する（ステップＳ１０６）。すなわち、端末装置１００は、傾きの角度に応じて、ウェブページＣ１０を表示する領域と広告コンテンツＣ１１を表示する領域との割合を変更し、広告コンテンツＣ１１を表示する。
【０１１７】
また、端末装置１００は、傾きの角度が所定の閾値を超えたか否かを判定し（ステップＳ１０７）、超えた場合には（ステップＳ１０７：Ｙｅｓ）、広告コンテンツＣ１１の全体を表示して、領域の割合を固定する（ステップＳ１０８）。続いて、端末装置１００は、所定の操作が行われたか否かを判定し（ステップＳ１０９）、所定の操作が行われた場合は（ステップＳ１０９：Ｙｅｓ）、操作に応じたランディングページを表示して（ステップＳ１１０）、処理を終了する。
【０１１８】
一方、端末装置１００は、傾きが検出されなかった場合には（ステップＳ１０５：Ｎｏ）、再度ステップＳ１０５を実行する。また、端末装置１００は、傾きの角度が所定の閾値を超えていない場合や（ステップＳ１０７）、所定の操作が行われなかった場合は（ステップＳ１０９：Ｎｏ）、ステップＳ１０５を実行する。
【０１１９】
〔９．変形例〕
上記した実施形態に係る広告配信システム１は、上記実施形態以外にも種々の異なる形態にて実施されてよい。そこで、以下では、広告配信システム１の他の実施形態について説明する。
【０１２０】
〔９−１．ログについて〕
ここで、端末装置１００は、実際に表示された広告コンテンツや、利用者によって選択された広告コンテンツのログを取ってもよい。例えば、端末装置１００は、利用者が端末装置１００を傾けずに、ウェブページＣ１０の表示を終了した場合は、広告コンテンツＣ１１が閲覧されていない旨のログを取得する。一方で、端末装置１００は、利用者が端末装置１００を傾けて、広告コンテンツＣ１１を表示した場合には、広告コンテンツＣ１１が閲覧された旨のログを取得する。また、端末装置１００は、ウェブページＣ１０や広告コンテンツＣ１１が表示される領域の割合が固定された際に、広告コンテンツＣ１１が選択された場合もしくは所定の操作が行われた場合には、広告コンテンツＣ１１が選択された旨のログが所定の操作が行われた旨のログを取得する。
【０１２１】
このように端末装置１００が取得したログは、各広告コンテンツのＣＴＲの更新や、広告主に広告効果を報告する際等に有用なログとなる。また、端末装置１００が取得したログは、ランディングページに配置されるコンテンツの変更に用いられてもよい。例えば、端末装置１００は、利用者が広告コンテンツＣ１１を選択した場合もしくは所定の操作を行った場合は、同一のランディングページを取得するとともに、かかるランディングページを配信するサーバに対して、利用者が広告コンテンツＣ１１を選択したか、または、所定の操作を行ったかを通知する。かかる際、ランディングページを配信するサーバは、利用者が広告コンテンツＣ１１を選択したか、または、所定の操作を行ったかに応じて、ランディングページに配置するコンテンツを特定し、特定したコンテンツをランディングページに配置するよう端末装置１００に指示してもよい。
【０１２２】
また、端末装置１００は、取得したログの状況に応じて、ランディングページの出しわけを行ってもよい。例えば、端末装置１００は、所定の数の利用者がランディングページＣ１３を訪れるまでは、所定の処理が行われた際に、ランディングページＣ１３を表示し、所定の数の利用者がランディングページＣ１３を訪れた後は、所定の処理が行われたとしても、ランディングページＣ１３を表示せずにランディングページＣ１２を表示してもよい。また、端末装置１００は、ランディングページＣ１２、Ｃ１３のＣＴＲに基づいて、ランディングページの出しわけを行ってもよい。また、端末装置１００は、ランディングページＣ１２およびランディングページＣ１３が表示された回数と最低限表示する回数との差分（すなわち、広告在庫数）に応じて、ランディングページを変更してもよい。
【０１２３】
〔９−２．制御情報について〕
上記した端末装置１００は、広告配信サーバ２０が広告コンテンツとともに配信する制御情報を用いて、上記した表示処理を実行した。しかしながら、実施形態は、これに限定されるものではない。例えば、端末装置１００は、上記した制御情報をコンテンツ配信サーバ３０からウェブページとともに受信し、広告配信サーバ２０から広告コンテンツとともに表示指示を受信する。そして、端末装置１００は、コンテンツ配信サーバ３０から受信した制御情報を実行するとともに、受信した表示指示に従って広告コンテンツの表示態様を変更してもよい。
【０１２４】
また、端末装置１００は、ウェブページＣ１０の表示処理や、上述した広告表示処理等を端末装置１００に実行されるアプリケーションをあらかじめダウンロードし、かかるアプリケーションを実行することで、上述した処理を実現してもよい。
【０１２５】
〔９−３．装置構成〕
また、上記実施形態では、広告配信システム１に、広告配信サーバ２０とコンテンツ配信サーバ３０とが含まれる例を示したが、広告配信サーバ２０とコンテンツ配信サーバ３０とは１個の装置として形成されてもよい。この場合、図３に示した広告配信サーバ２０は、例えば、図５に示したコンテンツ記憶部３２、受付部３４、配信部３５を有する。そして、広告配信サーバ２０は、端末装置１００からウェブページの取得要求を受け付けた場合に、広告コンテンツとともに、広告取得命令を含まないウェブページを端末装置１００に配信する。
【０１２６】
また、上記実施形態では、広告配信サーバ２０から端末装置１００に広告コンテンツが配信される例を示したが、コンテンツ配信サーバ３０が、広告配信サーバ２０から広告コンテンツを取得してもよい。この場合、広告配信サーバ２０の要求受付部２６は、コンテンツ配信サーバ３０から広告コンテンツの取得要求を受け付ける。また、広告配信サーバ２０は、コンテンツ配信サーバ３０に広告コンテンツを配信する。また、コンテンツ配信サーバ３０は、広告配信サーバ２０から取得した広告コンテンツとともに、広告取得命令を含まないウェブページを端末装置１００に配信する。
【０１２７】
〔９−４．端末装置の操作記録〕
また、上述してきた端末装置１００は、実施形態に係る広告コンテンツが配置されているウェブページに対して、ユーザがどれだけ端末装置１００を操作したかという記録を広告配信サーバ２０に送信してもよい。具体的には、端末装置１００は、広告コンテンツが配置されているウェブページに対してユーザが行うスクロール操作や、ウェブページの拡大縮小操作、物理センサ１４０が測定した傾きの有無や角度等の端末装置１００の物理的状態などを記録する。
【０１２８】
また、端末装置１００は、広告コンテンツに対するクリック操作や、ウェブページをリロードした回数や、広告コンテンツを特定する情報について端末装置からの発信操作（例えば、ＳＮＳへの書き込みなど）など、ユーザが端末装置１００に対して行う種々の操作を記録することもできる。そして、端末装置１００は、操作履歴に関する情報を広告配信サーバ２０に送信する。
【０１２９】
かかる場合、広告配信サーバ２０は、端末装置１００から配信された操作履歴に関する情報を集計し、かかる情報について分析した情報をさらに取得する。例えば、広告配信サーバ２０は、実施形態に係る制御情報を伴う広告コンテンツとかかる制御情報を伴わない広告コンテンツとについて、スクロール操作の回数や、利用者が端末装置１００を傾けた回数や角度、ＣＴＲなどの広告効果の指標を比較した情報などを取得する。
【０１３０】
ここで、実施形態に係る制御情報を伴う広告コンテンツが表示されるウェブページに対する操作履歴は、広告効果を示す指標となりうる。すなわち、実施形態に係る制御情報を伴う広告コンテンツが表示されるウェブページにおいては、ユーザによって広告コンテンツ自体がクリックされることにより広告コンテンツ先のウェブページが表示されることのみならず、かかるウェブページに対してユーザがどれだけ端末装置１００を傾けたか（つまり、ユーザがどれだけウェブページの表示態様を変化させたか）という操作履歴自体がユーザの広告コンテンツへの興味を示す指標といえる。
【０１３１】
例えば、広告配信サーバ２０は、利用者が端末装置１００を傾かせた回数、角度、時間等を比較することで、実施形態に係る制御情報を伴う広告コンテンツを表示した際に、広告に対する関心をどれくらい発生させたかを示す指標を提供することができる。したがって、広告配信サーバ２０は、広告主端末１０に端末装置１００の操作履歴に関する情報を送信することにより、実施形態に係る広告コンテンツの表示されるウェブページに対する広告効果の指標を示すレポートとすることができる。なお、広告配信サーバ２０は、広告主端末１０に端末装置１００の操作履歴に関する情報をそのまま送信してもよい。
【０１３２】
これにより、広告配信サーバ２０は、端末装置１００における実施形態に係る制御情報を伴う広告コンテンツの表示態様の有用性を広告主に示すことができる。
【０１３３】
ここで、広告配信サーバ２０は、端末装置１００から配信された操作履歴に基づいて、広告主への課金を行ってもよい。例えば、広告配信サーバ２０は、広告コンテンツＣ１１の表示回数や広告コンテンツの選択回数、ランディングページＣ１２への遷移回数、ランディングページＣ１３への遷移回数等に基づいて、広告主への課金を行ってもよい。また、広告配信サーバ２０は、所定回数以上広告コンテンツが選択されたことを条件に、あるいは、所定の時間以上広告コンテンツが表示又は操作されたことを条件に、広告主への課金を行ってもよい。た、広告配信サーバ２０は、端末装置１００から配信された操作履歴に基づいて、広告主への課金額を動的に変更してもよい。
【０１３４】
このように、広告配信サーバ２０は、広告コンテンツの選択回数、広告コンテンツの表示時間、端末装置１００の利用者が広告コンテンツに対して行った操作等に基づいて、広告主への課金を行う。すなわち、広告配信サーバ２０は、広告コンテンツを利用者が認知したか否かをより客観的に示すことができる情報、すなわち、ブランディングの度合いを示す指標に基づいて、広告主への課金を行うことができる。この結果、広告配信サーバ２０は、ブランディングの度合いを適切に示すことができない場合があるという従来の広告配信技術の課題を解決できる。このため、広告配信サーバ２０は、適切なブランディングの度合いの提示や、適切なブランディングの度合いに基づく課金を行うことができる。
【０１３５】
〔９−５．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１３６】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、図６に示した要求部１５１および操作制御部１５２は統合されてもよい。
【０１３７】
また、上記してきた各実施形態は、処理内容を矛盾させない範囲で適宜組み合わせることが可能である。
【０１３８】
〔９−６．プログラム〕
また、上記してきた実施形態に係る端末装置１００、広告配信サーバ２０およびコンテンツ配信サーバ３０は、例えば図９に示すような構成のコンピュータ１０００によって実現される。以下、広告配信サーバ２０を例に挙げて説明する。図９は、広告配信サーバの機能を実現するコンピュータの一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、およびメディアインターフェイス（Ｉ／Ｆ）１７００を有する。
【０１３９】
ＣＰＵ１１００は、ＲＯＭ１３００またはＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１４０】
ＨＤＤ１４００は、ＣＰＵ１１００によって実行されるプログラム、および、係るプログラムによって使用されるデータ等を格納する。通信インターフェイス１５００は、ネットワークＮを介して他の機器からデータを受信してＣＰＵ１１００へ送り、ＣＰＵ１１００が生成したデータを他の機器へ送信する。
【０１４１】
ＣＰＵ１１００は、入出力インターフェイス１６００を介して、ディスプレイやプリンタ等の出力装置、および、キーボードやマウス等の入力装置を制御する。ＣＰＵ１１００は、入出力インターフェイス１６００を介して、入力装置からデータを取得する。また、ＣＰＵ１１００は、生成したデータを入出力インターフェイス１６００を介して出力装置へ出力する。
【０１４２】
メディアインターフェイス１７００は、記録媒体１８００に格納されたプログラムまたはデータを読み取り、ＲＡＭ１２００を介してＣＰＵ１１００に提供する。ＣＰＵ１１００は、係るプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１４３】
例えば、コンピュータ１０００が実施形態に係る広告配信サーバ２０として機能する場合、コンピュータ１０００のＣＰＵ１１００は、ＲＡＭ１２００上にロードされたプログラムを実行することにより、制御部２３の機能を実現する。また、ＨＤＤ１４００には、記憶部２２内のデータ、すなわち広告データベース２４が格納される。コンピュータ１０００のＣＰＵ１１００は、これらのプログラムを記録媒体１８００から読み取って実行するが、他の例として、他の装置からこれらのプログラムを取得してもよい。
【０１４４】
なお、コンピュータ１０００が実施形態に係る端末装置１００として機能する場合、コンピュータ１０００のＣＰＵ１１００は、ＲＡＭ１２００上にロードされたプログラムを実行することにより、制御部１５０の機能を実現する。
【０１４５】
なお、コンピュータ１０００が実施形態に係るコンテンツ配信サーバ３０として機能する場合、コンピュータ１０００のＣＰＵ１１００は、ＲＡＭ１２００上にロードされたプログラムを実行することにより、制御部３３の機能を実現する。また、ＨＤＤ１４００には、コンテンツ記憶部３２内のデータが格納される。
【０１４６】
〔１０．効果〕
上述したように、端末装置１００は、画面上の所定の割合の領域に第１コンテンツであるウェブページＣ１０を表示し、他の領域に第２コンテンツである広告コンテンツＣ１１を表示する。また、端末装置１００は、地球の重力方向や、ウェブページＣ１０を表示した際の端末装置１００の状態等を基準とする端末装置１００の傾きを検知する。そして、端末装置１００は、検知結果に応じて、画面上のうち、ウェブページＣ１０を表示する領域の割合と、広告コンテンツＣ１１を表示する領域の割合とを変更する。このため、端末装置１００は、利用者に対し、広告コンテンツ等の任意のコンテンツに対する興味を生じさせることができる。
【０１４７】
また、端末装置１００は、端末装置１００の傾きの角度に応じて、ウェブページＣ１０を表示する領域と広告コンテンツＣ１１を表示する領域の割合とを変更する。このため、端末装置１００は、端末装置１００の傾きの角度に応じて画面上の表示が徐々に変化する演出で、広告コンテンツＣ１１を表示するので、広告コンテンツ等の任意のコンテンツに対する興味を生じさせることができる。
【０１４８】
また、端末装置１００は、端末装置１００の傾きの角度が所定の閾値を超えた場合は、広告コンテンツＣ１１を表示する領域の全体を画面上に表示させるまで、各領域の割合を変更する。このため、端末装置１００は、表示されるコンテンツをウェブページＣ１０から広告コンテンツＣ１１に切り替え、利用者に広告を印象付けることができる。
【０１４９】
また、端末装置１００は、端末装置１００の傾きの角度が所定の閾値を超えた場合は、画面全体に広告コンテンツＣ１１を表示するまで、各領域の割合を変更する。このため、端末装置１００は、表示されるコンテンツをウェブページＣ１０から広告コンテンツＣ１１に切り替え、利用者に広告を印象付けることができる。
【０１５０】
また、端末装置１００は、端末装置１００の傾きの角度が所定の閾値を超えた場合は、ウェブページＣ１０を表示する領域の割合と、広告コンテンツＣ１１を表示する領域の割合とを固定する。このため、端末装置１００は、利用者が端末装置１００を所定の角度よりも大きく傾けた際に、元の傾きへと戻したとしても、広告コンテンツＣ１１を表示し続けることができる。この結果、端末装置１００は、利用者に広告を印象付けることができる。
【０１５１】
また、端末装置１００は、ウェブページＣ１０を表示する領域の割合と、広告コンテンツＣ１１を表示する領域の割合とが固定された際に、利用者によって選択されると所定のコンテンツに遷移可能な広告コンテンツＣ１１を表示する。例えば、端末装置１００は、
ウェブページＣ１０を表示する領域の割合と、広告コンテンツＣ１１を表示する領域の割合とが固定された際に、利用者が広告コンテンツＣ１１を選択した場合は、リンク等で広告コンテンツＣ１１と紐付けられたランディングページＣ１２を取得して表示する。このため、端末装置１００は、広告コンテンツＣ１１と対応するコンテンツの表示を利用者に促すことができる。
【０１５２】
また、端末装置１００は、ウェブページＣ１０を表示する領域の割合と、広告コンテンツＣ１１を表示する領域の割合とが固定された際に、利用者によって行われた操作の内容に応じたコンテンツに遷移可能な広告コンテンツＣ１１を表示する。例えば、端末装置１００は、利用者による操作に応じて、ランディングページＣ１２またはランディングページＣ１３を表示する。このため、端末装置１００は、利用者に様々な操作を行わせる動機づけを提供するので、広告コンテンツに対する興味を生じさせることができる。
【０１５３】
また、端末装置１００は、ウェブページＣ１０を表示する領域の位置と、広告コンテンツＣ１１を表示する領域の位置とを移動させることで、各領域の画面上における割合を変更する。このため、端末装置１００は、広告コンテンツ等の任意のコンテンツに対する興味を生じさせることができる。
【０１５４】
また、端末装置１００は、ウェブページＣ１０を表示する領域の位置と、広告コンテンツＣ１１を表示する領域の位置と、端末装置１００の傾きの角度に応じた距離だけ移動させる。このため、端末装置１００は、利用者に様々な角度で端末装置１００を傾かせる動機づけを提供するので、広告コンテンツに対する興味を生じさせることができる。
【０１５５】
また、端末装置１００は、端末装置１００が傾いた方向に応じて、ウェブページＣ１０を表示する領域の位置と、広告コンテンツＣ１１を表示する領域の位置とを変更する。例えば、端末装置１００は、端末装置１００が所定の方向に傾いた場合には、ウェブページＣ１０を表示する領域の位置と、広告コンテンツＣ１１を表示する領域の位置とを変更する。このため、端末装置１００は、利用者に様々な方向に端末装置１００を傾かせる動機づけを提供するので、広告コンテンツに対する興味を生じさせることができる。
【０１５６】
また、端末装置１００は、端末装置１００が傾いていない場合には、画面全体にウェブページＣ１０を表示する。このため、端末装置１００は、利用者が端末装置１００を傾けた際に、徐々に表示される態様で広告コンテンツＣ１１を表示するので、広告コンテンツに対する興味を生じさせることができる。
【０１５７】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１５８】
また、上記してきた「部（section、module、unit）」は、「手段」や「回路」などに読み替えることができる。例えば、配信部は、配信手段や配信回路に読み替えることができる。
【符号の説明】
【０１５９】
１  広告配信システム
１０  広告主端末
２０  広告配信サーバ
２１、３１、１１０  通信部
２２  記憶部
２３、３３、１５０  制御部
２４  広告データベース
２５  入稿受付部
２６  要求受付部
２７  広告選択部
２８  配信部
３０  コンテンツ配信サーバ
３２  コンテンツ記憶部
３４  受付部
３５  配信部
１００  端末装置
１２０  入力部
１３０  出力部
１４０  物理センサ
１５１  要求部
１５２  操作制御部
１５３  表示制御部
１５４  表示部
１５５  検知部
１５６  変更部
【図１】
2016024624.tif 000003
【図２】
2016024624.tif 000004
【図３】
2016024624.tif 000005
【図４】
2016024624.tif 000006
【図５】
2016024624.tif 000007
【図６】
2016024624.tif 000008
【図７】
2016024624.tif 000009
【図８】
2016024624.tif 000010
【図９】
2016024624.tif 000011